(57)【要約】  【課題】電解水を使用した化学反応によって汚染空気を脱臭浄化する湿式の脱臭浄化装置において、どこにでも簡単に設置できるように汎用性を高める。  【手段】脱臭浄化装置はケーシング１を備えており、ケーシング１の内部に、脱臭部３と受水槽４と電解部３と原液タンク６と廃液タンク８と給水槽７とが配置されている。汚染空気は脱臭部３を上方から下方に流れたのちファン２で吸引されて装置外に排出される。電解水の原料となる原液タンク６及び廃液タンク８は持ち運び自在であり、簡単に交換できる。廃液の濾過装置や配管工事が不要であるため、どこにでも簡単に設置することができる。【選択図】      図１
2006320411.tif 000002
【特許請求の範囲】
【請求項１】
ケーシングの内部に、電解質水溶液を溜めておく原液タンクと、前記電解質水溶液を電解して得られる電解水がそのままの濃度で又は希釈水で希釈されて溜められる受水槽と、ファンによって外部から吸引された空気に電解水を接触させる脱臭部とを備えていて、電解水が脱臭部と受水槽とを循環するようになっており、更に、前記ケーシングの内部に、受水槽から排出された電解水廃液を溜める持ち運び式廃液タンクの格納スペースを設けている、空気脱臭浄化装置。
【請求項２】
前記原液タンクも持ち運び式になっており、この原液タンクから管路によって電解部に電解質水溶液が導かれる一方、前記ケーシングは、前記受水槽と脱臭部とが配置された本体部と、平面視で前記本体の外側に張り出した中空状の足部とを備えており、前記足部を原液タンクと廃液タンクとの格納スペースに兼用している、請求項１に記載した空気脱臭浄化装置。
【請求項３】
複数の足部を備えており、原液タンクを格納する足部と廃液タンクを格納する足部とを異ならせている、請求項２に記載した空気脱臭浄化装置。
【発明の詳細な説明】
【技術分野】
【０００１】
本願発明は、電解水による化学反応を利用して空気の脱臭浄化を行う湿式の空気脱臭浄化装置に関するものである。
【背景技術】
【０００２】
喫煙室や喫煙コーナー、或いは会議室のような多くの喫煙可能エリアに、煙草の煙と臭いの除去を目的として室内用の空気浄化装置が設置されている。喫煙者本人の健康のみならず受動喫煙による健康被害が社会問題化している今日、煙草の煙を脱臭浄化する装置に対する需要は高く、かつ、臭いが全く残らない高い脱臭性能が要請されている。
【０００３】
この一般的な空気浄化装置は、煙の粒子を補集することによって浄化と脱臭とを行っており、煙粒子の補集手段としては、紙製等のフィルターや活性炭、光触媒などの乾式のものが使用されている。すなわち、従来の一般的な空気浄化装置は煙の粒子を物理的な作用によって補集せんとする乾式の脱臭浄化装置と言えるものであり、設置が簡単であるという利点を有する反面、臭いを完全に除去できないという欠点があった。喫煙室に残っている臭いには、喫煙者でさえ辟易することがある。
【０００４】
このように乾式の浄化脱臭装置の脱臭性能が十分でない理由は、煙の粒子を完全に補集できないことと、粒子が補集されても消滅する訳ではなくて臭いの成分の漏洩を阻止できないこととにある。これに対して本願出願人のうちの株式会社オメガは、例えば特許文献１，２等において、電解水の化学作用を利用した湿式の脱臭浄化装置を提案した。
【０００５】
すなわちこの湿式の脱臭浄化装置は、塩素等が含まれた電解質溶液を電解することによって活性酸素濃度が極めて高い電解水を作り、この電解水に汚染空気を晒すことによって臭気成分を分解するもので、例えば、 Cl2＋H2O →HClO＋HCl の化学作用で活性酸素に富んだ次亜塩素酸が生成され、この次亜塩素酸が例えばアンモニアと接触すると、2NH3＋3HClO→N2＋3H2O＋3HClという化学作用でアンモニアは無臭の窒素と水に分解される。また、一酸化炭素も確実に分解除去することができる。
【０００６】
電解水を使用した湿式の脱臭浄化装置は、臭気成分を化学的に分解するものであるため抜群の脱臭性能や滅菌性能を発揮することができる。従って、この湿式の脱臭浄化装置を小型化して喫煙エリアに設置すると、従来の浄化装置に対する不満を解消できると言える。
【特許文献１】特開２００１−１７９０４６号公報
【特許文献２】特開２００３−２５０８７６号公報
【発明の開示】
【発明が解決しようとする課題】
【０００７】
さて、湿式の脱臭浄化装置は高い脱臭性能・滅菌性能を備えているのであるが、電解水は繰り返し使用していくうちに汚れると共に分解性能が低下するため、廃液化した電解水を取り出す必要がある。
【０００８】
この点、工場に併設するような大型設備の場合は廃液を濾過する装置を併設することで対処できるが、オフィスや各種施設の室内に設置する脱臭浄化装置の場合は、スペースやコスト、或いはメンテナンス等の問題があって濾過装置を設けるという訳にはいかない。また、廃液を下水に流すことも考えられるが、これは、廃液は濾過処理するのが好ましいことと、配管工事に多大の手間がかかることから現実的でない。
【０００９】
本願発明はこのような現状を改善すべくなされたもので、脱臭性能に優れている湿式の脱臭浄化装置の汎用性を高めることを課題とするものである。
【課題を解決するための手段】
【００１０】
前記の課題を解決するため請求項１の発明は、ケーシングの内部に、電解質水溶液を溜めておく原液タンクと、前記電解質水溶液を電解して得られる電解水がそのままの濃度で又は希釈水で希釈されて溜められる受水槽と、ファンによって外部から吸引された空気に電解水を接触させる脱臭部とを備えていて、電解水が脱臭部と受水槽とを循環するようになっている脱臭浄化装置において、前記ケーシングの内部に、受水槽から排出された電解水廃液を溜める持ち運び式廃液タンクの格納スペースを設けている点を特徴とする構成にしている。
【００１１】
更に、請求項２の発明では、請求項１において、前記原液タンクも持ち運び式になっており、この原液タンクから管路によって電解部に電解質水溶液が導かれる一方、前記ケーシングは、前記受水槽と脱臭部とが配置された本体部と、平面視で前記本体の外側に張り出した中空状の足部とを備えており、前記足部を原液タンクと廃液タンクとの格納スペースに兼用している。
【００１２】
請求項３の発明は請求項２を更に具体化したもので、この装置では、複数の足部を備えており、原液タンクを格納する足部と廃液タンクを格納する足部とを異ならせている。
【発明の効果】
【００１３】
本願発明では、装置内で発生した廃液は手持ち式の廃液タンクに詰めて装置外に取り出すことができるため、濾過装置を併設したり設置に際して配管工事を施す必要はなく、このためコストを抑制できる。また、メンテナンスの手間も軽減でき、更に、廃液タンクはケーシングの内部に格納されるためスペースを取ることもないし体裁が悪化することもない。
【００１４】
このように本願発明は、湿式の脱臭浄化装置を、コストやメンテナンス等の問題を解消して小型化できることにより、脱臭性能に優れた湿式の脱臭浄化装置の汎用性を高めることができ、その結果、脱臭性能に優れた装置をオフィス等の各種施設に設置することが容易ならしめられる。なお、廃液タンクに溜まった廃液は適宜の回収ルートを通じて処理業者に届け、一括して濾過処理を施せばよい。このため環境負荷も軽減できて好適である。
【００１５】
湿式の脱臭浄化装置では、電解水の原料である電解質水溶液を補給する必要があり、この補給手段としては、例えばケーシングの内部に固定式の原液タンクを設置し、持ち運び式の補充用タンクから原液タンクに電解質水溶液を移し替るといったことも可能であるが、これは移し替えの手間がかかる問題がある。この点、請求項２のように原液タンクも持ち運び式にすると、空の原液タンクを新たな原液タンクに交換するだけで良いため、電解質水溶液の補充を楽に行える利点がある。
【００１６】
また、脱臭浄化装置を室内設置型とする場合、室のスペースの有効活用のためには装置をなるべくスリム化するのが好ましいが、スリム化すると例えば地震時の安定性が低下するといった問題がある。この点、請求項２のように構成すると、足部の存在によって安定性を高めることができるのみならず、足部を原液タンク及び廃液タンクの格納空間に利用することができるため、スペースを有効活用することができる。
【００１７】
また、喫煙エリアに設置した場合、灰皿を置いたり飲み物を置いたり荷物を置いたりするテーブルがあると好ましいが、請求項２のように構成すると、足部の上面をテーブルとして使用したり、或いは、広い面積の天板を足部で支持したりといったことができるため、よりユーザーフレンドリーである。
【００１８】
装置に足部を設ける場合、足部を１つだけ設けてこの１つの足部に原液タンクと廃液タンクとを格納することも可能であるが、請求項３のように原液タンクと廃液タンクとを別々の足部に格納する構成を採用すると、原液タンクと廃液タンクとの置き場所を間違えることがなくて好適であると言える。
【発明を実施するための最良の形態】
【００１９】
次に、本願発明の実施形態を図面に基づいて説明する。
【００２０】
(1).概要
図１は本願実施形態に係る脱臭浄化装置の脱臭浄化システムを模式的に示す概略図であり、まず、この図１に基づいて概要を説明する。
【００２１】
脱臭浄化装置は、カバーで構成されたケーシング１を備えており、このケーシング１の内部に、外部の汚染空気を吸引して排気するファン２と、外部から吸引された空気を電解水によって脱臭浄化する脱臭部３と、脱臭部３から流下した電解水を受ける受水槽（混和槽）４と、受水槽４に高濃度電解水を供給する電解部（電解装置）５と、原料の電解質水溶液が溜まっている原液タンク６と、高濃度電解水を適度の濃度に薄めるための希釈水が溜められている給水槽７と、受水槽４から取り出した廃液を溜める廃液タンク８とを備えている。
【００２２】
原液タンク６は把手９と口１０を有する手持ち式の樹脂製タンクであり、電解質水溶液は第１ポンプ１１によって第１管路１２を通って受水槽４に到る。第１管路１２の中途部に電解部５が介在している。なお、電解部５の具体的な構造の例は、例えば、本願出願人の１人である株式会社オメガが出願した特開２００３−２５１３５６号公報に開示されている。
【００２３】
給水槽７には水道水や井戸水のような非電解質水が溜められており、内部の希釈水は、第２管路１３及び第２ポンプ１４を介して受水槽４に供給され、これにより、高濃度電解水は受水槽４で適度の濃度に調整された希釈電解水１５になる。給水槽７には給水管１６が接続されている。
【００２４】
脱臭部３は、臭気類を補集する触媒ユニット１７と、この触媒ユニット１７に希釈電解水１５を散液する散液手段の一例としての散液管１８とを備えており、受水槽４の希釈電解水１５は第３ポンプ１９によって散液管１８に供給される。装置の外部の汚染空気は脱臭部３の上部から吸引され、脱臭部３を通って下方に流れる過程で脱臭浄化され、脱臭浄化済された空気は第１排気通路２０を上昇し、次いで、第２排気通路２１を下方に流れて装置外に排出される。脱臭浄化のプロセス自体は本願発明の要旨ではないので詳述しないが、必要なら特許文献１，２等を参照されたい。
【００２５】
受水槽４の希釈電解水１５は蒸発によって少しずつ減少する。そこで、受水槽４にフロート式等の水位（液位）センサー２２を設けており、水量が一定以下に低下すると、第１ポンプ１１と第２ポンプ１４とが駆動され、高濃度電解水と希釈水とが受水槽４に補給される。
【００２６】
使用によって汚れが進行して廃液化した希釈電解水１５は、第３管路２３を介して第４ポンプ２４で廃液タンク８に送られる。廃液タンク８も把手９と口１０とを備えている樹脂製タンクである。廃液を自然流下によって廃液タンク８に取り出す場合は、第４ポンプ２４の代わりに自動弁を設けることも可能である。
【００２７】
受水槽４にはゴミ類や菌類が流下し、このため希釈電解水１５は汚れていく。汚れて廃液化した希釈電解水１５は廃液タンク８に溜められる。ゴミ類は受水槽４の下部に沈殿するので、受水槽４の下部に溜まったものを定期的に又は所定の運転時間経過ごとに一定量ずつ取り出すのが好ましい。受水槽４の下部に希釈電解水１５の汚染度を検知する濃度センサーを設けて、汚れが一定以上に進行したら取り出す方式を採用することも可能である。
【００２８】
(2).具体的な構造
次に、図２以下の図面も参照して脱臭浄化装置の具体的な構造を説明する。図２は脱臭浄化装置の外観を示す一部分離斜視図、図３は正面図、図４のうち（Ａ）は図３のIVA-IVA 視断面図、（Ｂ）は脱臭部３の部分斜視図、図５は図３の V-V視断面図断面図、図６のうち（Ａ）は図３の VIA-VIA視断面図、（Ｂ）は（Ａ）のＢ−Ｂ視断面図、（Ｃ）は（Ａ）のＣ−Ｃ視断面図である。
【００２９】
図２及び図３に示すように、ケーシング１は、上下に長い本体部２５とその下半部に設けた左右の足部２６とで構成されており、足部２６に左右横長の天板（テーブル板）２７をビスで固定している。本体部２５の平面形状は、全体としては左右横長の長方形で前部の左右コーナー部２５ａは面取り状にカットされており、左右の足部２６は、コーナー部２５ａと直交した方向に延びている。従って、左右の足部２６は本体部２５から遠ざかるに従って間隔で広がる平面視ハ字状の姿勢を成しており、また、天板２７は本体部２５のコーナー部２５ａを抱き込む形態になっている。
【００３０】
左右の足部２６は平面視で本体部２５の放射方向に長く延びる形状であり、左側の足部２６を原液タンク６の格納スペースに兼用しており、右側の足部２６を廃液タンク８の格納スペースに利用してる。勿論、逆でも良い。
【００３１】
ケーシング１における本体部の前面は平面視で後方に凹んだ凹所２５ｂになっており、凹所２５ｂの上部に吸気口２８が開口している。吸気口２８の手前には着脱自在なカバー２９が配置されている。また、凹所２５ｂの左右側面は外側に向けて広がるように傾斜しているため、天板２７の左右両側に立った人が喫煙してもその煙が吸気口２８にガイドされる。本体部２５における凹所２５ｂには操作パネル３０を設けている。更に、本体部２５の左右側板の下部には多数のスリット群からなる排気口３１を設けている。
【００３２】
本実施形態のように本体部２５の前面を凹所２５ｂに形成すると、人が例えば天板２７に近接した状態で喫煙しても本体部２５から圧迫感や威圧感を受けることがない利点がある。また、カバー２９は平面視で前向き凹状に湾曲しているが、この形状も圧迫感・威圧感の低減に貢献している。
【００３３】
原液タンク６及び廃液タンク８の平面形状は、幅方向と長手方向とを有する略長方形になっている。そして、左右の足部２６には、原液タンク６及び廃液タンク８を横長の姿勢で出し入れするに十分な幅及び高さの内部空間が空いている。本体部２５の手前には左右足部２６で区画された前部空間３２が空いており、左右の足部２６の内部空間は前部空間３２に向けて開口している。従って、人は、１カ所で原液タンク６及び廃液タンク８を交換できる。
【００３４】
足部２６は、その空間を塞ぐ扉３３を設けている。本実施形態の扉３３は着脱方式になっており、足部２６の縦断側面図である図７（Ａ）に示すように、扉３３の下端の折り返し片に設けた穴３４を足部６の段部に形成した上向き突起３５に嵌め込む一方、扉３３の上端部には、回転によって足部２６の上開口縁２６ａに後方から係脱する係止具３５を設けている。扉は、係止具３６を足部２６の上開口縁２６ａから係合解除し、次いで手前に傾けてから上向き動させることによって取り外すことができる。
【００３５】
言うまでもないが、扉３３は着脱式には限らず、水平回動式やスライド式（引き戸式）などとすることも可能である。また、左右の足部２６を上向きに開口させて、天板２７を跳ね上げたり取り外したりすることにより、タンク６，８を足部２６の内部空間に上方から出し入れすることも可能である。
【００３６】
図４に示すように、触媒ユニット１７は、平面視左右横長ループ状の内側透過層３７と外側透過層３８との間にカーボン粒群等の触媒３９を充填して全体として横長ループ状（小判型）の形態を成しており、触媒ユニット１７の周囲に縦長の散液管１８を適宜間隔立設している。散液管１８には上下適宜間隔で小穴が空いている。なお、散液管１８は水平状に延びる姿勢で配置することも可能である。
【００３７】
脱臭部３はケーシング１の本体部２５を部分的に共用している第１仕切り板４０で囲われており、吸気口２８から取り入れられた汚染空気は触媒ユニット１７を外側から内側に透過する。なお、図５に示すように吸気口２８にはルーバ４１を設けている。
【００３８】
脱臭部３後方には第１排気通路２０を形成するための第２仕切り板４３が配置されている。また、第２排気通路２１は第２仕切り板４３と背面カバー４４とで形成されている。図５に示すように、脱臭部３と第１排気通路２０の上端は上板４５で塞がれており、上板４５には、図４（Ａ）に一点鎖線で示すように、ファン２への吸引穴４６が空いている。なお、ファン２を本体部２５の上面に露出させることも可能である。
【００３９】
例えば図６に示すように、ケーシング１を構成する本体部２５と足部２６との連結箇所には、第１管路１２と第３管路２３とを引き出す窓穴４７が空いている。第１管路１２のうち原液タンク６に入る部分は可撓性をチューブになっており、このため、原液タンク６に簡単に出し入れできる。他方、第３管路２３の先端部は塩ビ管のようなパイプからなっており、廃液タンク８の口への挿脱を容易ならしめるために上下動させ得るようになっている。
【００４０】
なお、第１管路１２のうち原液タンク６に入る部分を剛体のパイプ製とすることも可能であり、逆に、第３管路２３の先端部をホースで構成することも可能である。
【００４１】
図１に示すように、原液タンク６及び廃液タンク８には容量を検知する水位センサー４８を設けている。水位センサー４８からの信号はケーブル４９を介して制御回路に接続されており、例えば、電解質水溶液が消費され切ったことを検知したり、廃液タンク８が満杯になったりしたことを検知すると、交換を求める表示が操作パネル３０のランプが点灯する。装置の管理会社（メンテナンス会社）の管理コンピュータと水位センサー４８とを電話回線で接続することにより、タンク６，８の交換時期を遠隔的に知ることも可能である。
【００４２】
水位センサー４８は原液タンク６及び廃液タンク８に固定されている一方、両タンク６，８は交換して回収される。そこで、水位センサー４８とケーブル４９とを着脱式のコネクタ５０で接続している。このため、タンク６，８の交換の容易性が損なわれることはない。
【００４３】
ところで、タンク６，８の交換に際しては、タンク６，８の出し入れや管路１２，２３の抜き差し、及びコネクタの着脱作業を行わねばならない。そして、例えば足部２６の先端面を開口することも可能であるが、この形態では、人は足部２６の内部空間に手を入れにくいため交換作業が厄介である。
【００４４】
これに対して本実施形態のように足部２６の内部空間を本体部２５の手前の前部空間３２に向けて開口させると、足部２６の開口面積が大きくなって内部空間に手を入れて自由に動かせるため、交換作業をしごく楽に行える利点がある。
【００４５】
既述のように給水槽７には水を補給する必要がある。この点について図７（Ｂ）では、いずれか一方の足部２６の内部に給水管１６を引き出して、給水管１６の先端に受水口５１を設け、かつ、足部２６の内側面に水位ゲージ５２を設けている。なお、本体部２５の前面に給水口を設けることも可能である。
【００４６】
(3).他の実施形態
図８では他の実施形態を示している。このうち（Ａ）に示す第２実施形態は、ケーシング１は第１実施形態と同じ形態であり、第１実施形態との相違点は、広い面積の天板を備えておらずに足部２６の上面をテーブル面としている点である。一点鎖線で示すように、足部２６の上面に嵌め込み式の灰皿５３を設けることも可能である。また、二点鎖線で示すように、左右の足部２６に互いに独立した天板２７を取り付けることも可能である。
【００４７】
（Ｂ）に示す第２実施形態では、本体部２５を平面視八角形に形成して４個の足部２６を備えている。また、（Ｃ）に示す第４実施形態では本体部２５を円形に形成して４個の足部２６を備えている。このように４個の足部２６を備えている場合は、任意の足部２６を原液タンク又は廃液タンクの格納部に利用したら良い。
【００４８】
（Ｄ）及び（Ｅ）では第５実施形態を示している。（Ｄ）は平面図、（Ｅ）は正面図である。この実施形態では壁際に他の設備類と並列して設置するタイプにおいて、左右一対の足部２６を前向きに突設している。この実施形態では、吸気口２８も排気口３１も前向きに開口している。
【００４９】
以上、本願発明の実施形態を説明したが、本願発明の具体的態様は上記の実施形態に限定されるものではない。例えば、用途は煙草の煙の脱臭浄化装置には限らず、各種の臭や煤煙、排煙の脱臭浄化に広く適用できる。
【図面の簡単な説明】
【００５０】
【図１】第１実施形態の概略を示す模式図である。
【図２】脱臭浄化装置の外観を示す一部分離斜視図である。
【図３】脱臭浄化装置の正面図である。
【図４】(A) は図３のIVA-IVA 視断面図、(B) は脱臭部の部分斜視図である。
【図５】図３の V-V視断面図断面図である。
【図６】(A) は図３の VA-VA視断面図、(B) は(A) の B-B視断面図、(C) は(A) の C-C視断面図である。
【図７】(A) 足部の部分的な縦断側面図、(B) は変形例を示す図である。
【図８】他の実施形態を示す図である。
【符号の説明】
【００５１】
１  ケーシング
２  ファン
３  脱臭部
４  受水槽
５  電解部
６  原液タンク
７  給水槽
８  廃液タンク
１７  触媒ユニット
１８  散液管
２５  ケーシングの本体部
２６  ケーシングの足部
３３  扉
【図１】
2006320411.tif 000003
【図２】
2006320411.tif 000004
【図３】
2006320411.tif 000005
【図４】
2006320411.tif 000006
【図５】
2006320411.tif 000007
【図６】
2006320411.tif 000008
【図７】
2006320411.tif 000009
【図８】
2006320411.tif 000010